【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
複数の処理部が複数のジョブからなるジョブフローに従った処理を順次行って印刷物を生成させる印刷システムで前記ジョブフローが正しく流れるかどうかを検証する検証用ジョブフローを検証対象のジョブフローに基づき作成する検証用ジョブフロー作成装置であって、
前記検証対象のジョブフローを構成するジョブのうちの当該ジョブの実行によって変化した状態を元の状態へ戻す機能を有する処理部に処理を行わせる第１のジョブと、当該処理部に処理を行わせる前記第１のジョブより後ろに挿入され当該処理部に前記変化した状態を元の状態へ戻す処理を行わせる第２のジョブと、を含む検証用ジョブフローを作成する検証用ジョブフロー作成手段、
を備える検証用ジョブフロー作成装置。
【請求項２】
複数の処理部が複数のジョブからなるジョブフローに従った処理を順次行って印刷物を生成させる印刷システムで前記ジョブフローが正しく流れるかどうかを検証する検証用ジョブフローを検証対象のジョブフローに基づき作成する検証用ジョブフロー作成装置であって、
前記処理部の各々の検証機能に関し、前記処理部によって検証モードで実行される処理の情報を含む管理情報が格納された検証機能管理情報格納手段と、
前記検証対象のジョブフローを構成するジョブのうちの当該ジョブの実行によって変化した状態を元の状態へ戻す機能を有する処理部に処理を行わせる第１のジョブと、当該処理部に処理を行わせる前記第１のジョブより後ろに挿入され当該処理部に前記変化した状態を元の状態へ戻す処理を行わせる第２のジョブと、当該ジョブの実行によって変化した状態を元の状態へ戻す機能を有していない処理部を前記管理情報に基づいて前記検証モードで実行される処理で置き換えた第３のジョブと、を含む検証用ジョブフローを作成する検証用ジョブフロー作成手段と、
を備える検証用ジョブフロー作成装置。
【請求項３】
前記検証機能管理情報格納手段に格納された前記検証モードで実行される処理の情報は、通常処理と異なる処理の情報であることを特徴とする請求項２に記載の検証用ジョブブロー作成装置。
【請求項４】
前記検証機能管理情報格納手段に格納された前記検証モードで実行される処理の情報は、無処理を含むことを特徴とする請求項２に記載の検証用ジョブブロー作成装置。
【請求項５】
前記検証機能管理情報格納手段に格納された前記検証モードで実行される処理の情報は、検証モード時に置き換えられるジョブ属性の値であることを特徴とする請求項２に記載の検証用ジョブブロー作成装置。
【請求項６】
複数のジョブからなるジョブフローに従った処理を順次行って印刷物を生成する複数の処理部と、
前記処理部の各々の検証機能に関する管理情報が格納された検証機能管理情報格納手段と、
検証対象の前記ジョブフローに基づき前記検証機能管理情報格納手段に格納された前記管理情報を参照して検証用ジョブフローを作成する検証用ジョブフロー作成手段であって、前記検証対象のジョブフローを構成するジョブのうちの当該ジョブの実行によって変化した状態を元の状態へ戻す機能を有する処理部に処理を行わせる第１のジョブと、当該処理部に処理を行わせる前記第１のジョブより後ろに挿入され当該処理部に前記変化した状態を元の状態へ戻す処理を行わせる第２のジョブと、を含む検証用ジョブフローを作成する検証用ジョブフロー作成手段と、
ジョブフローに基づく処理を前記複数の処理部に行わせるジョブフロー制御手段と、
前記ジョブフロー制御手段に前記検証対象のジョブフローに基づく制御を行わせるか前記検証用ジョブフロー作成手段により作成された検証用ジョブフローに基づく制御を行わせるかを切り替える切り替え手段と、
を備える印刷システム。
【請求項７】
複数の処理部が複数のジョブからなるジョブフローに従った処理を順次行って印刷物を生成させる印刷システムで前記ジョブフローが正しく流れるか検証する検証用ジョブフローを検証対象のジョブフローに基づき作成する検証用ジョブフロー作成プログラムであって、
検証機能管理手段に登録された前記処理部の各々の検証機能に関する管理情報に基づき検証対象のジョブフローを構成するジョブのうち当該ジョブの実行によって変化した状態を元の状態へ戻す機能を有する処理部に処理を行わせるジョブを、検証用ジョブフローを構成するジョブとして特定するステップと、
検証機能管理手段に登録された前記処理部の各々の検証機能に関する管理情報に基づき前記検証用ジョブフローを構成するジョブの後に当該ジョブの処理によって変化した状態を元の状態へ戻す処理を行わせるジョブを挿入するステップと、
をコンピュータに実行させるための検証用ジョブフロー作成プログラム。
【手続補正２】
【補正対象書類名】明細書
【補正対象項目名】発明の名称
【補正方法】変更
【補正の内容】
【発明の名称】検証用ジョブフロー作成装置、印刷システム及び検証用ジョブフロー作成プログラム
【手続補正３】
【補正対象書類名】明細書
【補正対象項目名】０００１
【補正方法】変更
【補正の内容】
【０００１】
本発明は、前処理、印刷処理、課金処理等の一連のジョブを行って印刷物を生成する印刷システムに適用される検証用ジョブフロー作成装置、印刷システム及び検証用ジョブフロー作成プログラムに関する。
【手続補正４】
【補正対象書類名】明細書
【補正対象項目名】０００８
【補正方法】変更
【補正の内容】
【０００８】
従って、本発明の目的は、一連のジョブを行って印刷物を生成する印刷システムにおいて、構成が複雑とならず、一連のフローを検証することができる検証用ジョブフロー作成装置、印刷システム及び検証用ジョブフロー作成プログラムを提供することにある。
【手続補正５】
【補正対象書類名】明細書
【補正対象項目名】０００９
【補正方法】変更
【補正の内容】
【０００９】
本発明は、上記目的を達成するため、複数の処理部が複数のジョブからなるジョブフローに従った処理を順次行って印刷物を生成させる印刷システムで前記ジョブフローが正しく流れるかどうかを検証する検証用ジョブフローを検証対象のジョブフローに基づき作成する検証用ジョブフロー作成装置であって、前記検証対象のジョブフローを構成するジョブのうちの当該ジョブの実行によって変化した状態を元の状態へ戻す機能を有する処理部に処理を行わせる第１のジョブと、当該処理部に処理を行わせる前記第１のジョブより後ろに挿入され当該処理部に前記変化した状態を元の状態へ戻す処理を行わせる第２のジョブと、を含む検証用ジョブフローを作成する検証用ジョブフロー作成手段、を備える検証用ジョブフロー作成装置を提供する。
【手続補正６】
【補正対象書類名】明細書
【補正対象項目名】００１０
【補正方法】変更
【補正の内容】
【００１０】
上記検証用ジョブフロー作成装置によれば、一連の検証用ジョブを複数の処理部が有する機能に応じたものとすることにより、一連のフローの検証を実現することができる。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２６
【補正方法】変更
【補正の内容】
【００２６】
図１は、本発明の第１の実施の形態に係るジョブフロー検証方法が適用された印刷システムを示す。この印刷システム１は、一連の処理の結果として印刷物を得ることを目的として、前処理実行部２、印刷部３、課金処理部４、通知処理部５、アーカイブ処理部６およびフロー制御装置（検証用ジョブフロー作成装置）７をネットワーク８によって接続したものである。
【手続補正１３】
【補正対象書類名】明細書
【補正対象項目名】００３４
【補正方法】変更
【補正の内容】
【００３４】
（フロー制御装置の構成）
図２は、フロー制御装置7の構成を示すブロック図である。フロー制御装置７は、動作モード指示部７０、フロー登録部７１、フロー登録テーブル格納部７２、ジョブ登録部７３、ジョブテーブル格納部７４、処理結果格納部７５、検証機能管理テーブル格納部（検証機能管理情報格納手段）７６および実行用ジョブデータ生成部（検証用ジョブフロー作成手段）７７を備える。